(57)【要約】【課題】平板瓦は、必要強度を得るべく厚く形成されている。【解決手段】矩形状の瓦本体１の一側部位をオーバーラップ部２とすると共に、他側方にアンダーラップ部３を一体形成し、瓦本体１の裏面に幅方向に並設された複数のリブ６、6a…を有するフラットタイプの平板瓦であって、瓦本体１の裏面におけるリブ６、6a…間の部位を曲面状に凹ませてアーチ面７、7a…を形成することにより、瓦本体１におけるリブ６、6a…間の部位を薄くしても、従来の肉厚の平板瓦と同等の強度を保持可能にする。【選択図】図３
2015158080.tif 000002
【特許請求の範囲】
【請求項１】
矩形状の瓦本体の一側部位をオーバーラップ部とすると共に、他側方にアンダーラップ部を一体形成し、前記瓦本体の裏面に幅方向に並設された複数のリブを有するフラットタイプの平板瓦であって、
前記瓦本体の裏面における前記リブ間の部位を曲面状に凹ませてアーチ面を形成したことを特徴とする平板瓦。
【請求項２】
前記アーチ面の中央に、前記リブと平行な畝状肉盛りを設けたことを特徴とする請求項１に記載の平板瓦。
【請求項３】
前記アーチ面を、前記リブの側面に滑らかに連続させて形成したことを特徴とする請求項１又は２に記載の平板瓦。
【発明の詳細な説明】
【技術分野】
【０００１】
本発明は、強度を維持しつつ軽量化を図った平板瓦に関する。
【背景技術】
【０００２】
従来、Ｆ形瓦である平板瓦にあっては、基本的に、矩形状の瓦本体の一側部位をオーバーラップ部とすると共に、他側方にアンダーラップ部を一体形成し、瓦本体は、オーバーラップ部の厚みをそれ以外の部分より薄くし、頭側に前垂れを、尻側裏面に一対の尻剣を有し、瓦本体におけるオーバーラップ部以外の部分の裏面に複数のリブを幅方向に並設している（例えば、特許文献１の図２（ｂ）、図３（ｂ）参照）。
【先行技術文献】
【特許文献】
【０００３】
【特許文献１】特開２０１２−１９７５８７号公報
【発明の概要】
【発明が解決しようとする課題】
【０００４】
しかし、上記平板瓦にあっては、裏面にリブが形成されているとしても、瓦本体におけるオーバーラップ部以外の部分の厚さをある程度確保せねば、必要強度が得られないなど解決せねばならない課題があった。
【課題を解決するための手段】
【０００５】
本発明は、上記従来技術に基づく、必要強度を得るべく肉厚になる課題に鑑み、瓦本体の裏面における前記リブ間の部位を曲面状に凹ませてアーチ面を形成することによって、当該部位を薄くしても、従来の肉厚の平板瓦と同等の強度を保持可能にして、上記課題を解決する。
【発明の効果】
【０００６】
要するに本発明は、矩形状の瓦本体の一側部位をオーバーラップ部とすると共に、他側方にアンダーラップ部を一体形成し、前記瓦本体の裏面に幅方向に並設された複数のリブを有するフラットタイプの平板瓦であって、前記瓦本体の裏面における前記リブ間の部位を曲面状に凹ませてアーチ面を形成したので、該アーチ面により前記瓦本体における前記リブ間の部位の断面積を狭小化し軽量化しても強度を確保することが出来ると同時に、瓦本体が薄厚化されることで、葺設状態における屋根下地との間のスペースが広くなり、その結果通気量が増大し換気機能が向上して、室内環境の快適化を図ることが出来る。
而も、前記アーチ面の中央に、前記リブと平行な畝状肉盛りを設けたので、前記瓦本体における前記リブ間の部位の強度を向上させることが出来る。
【０００７】
更に、前記アーチ面を、前記リブの側面に滑らかに連続させて形成しているので、製造時におけるリブの側面とアーチ面との境界への亀裂発生を抑止することが出来る等その実用的効果甚だ大である。
【図面の簡単な説明】
【０００８】
【図１】本発明に係る平板瓦の底面図である。
【図２】図１の平板瓦の背面図である。
【図３】図１のＸ１−Ｘ１拡大断面端面図である。
【図４】図１のＸ２−Ｘ２拡大断面端面図である。
【図５】図１のＸ３−Ｘ３拡大断面端面図である。
【図６】図１のＹ−Ｙ断面図である。
【図７】図１のＺ−Ｚ断面図である。
【図８】図１の平板瓦の葺設状態を示す断面図である。
【発明を実施するための形態】
【０００９】
本発明に係る平板瓦にあっては、基本的に、上記従来技術と同様に、瓦本体１の一側部位をオーバーラップ部２とし、他側方にアンダーラップ部３が一体形成され、頭側に前垂れ４を、尻側裏面に尻剣５、5aを有し、瓦本体１におけるオーバーラップ部２以外の部分の裏面に複数のリブ６、6a…を幅方向に並設している。
【００１０】
図１〜６に示された本発明に係る平板瓦は、所謂「Ｆ形Ｆタイプ」の平板瓦であって、瓦本体１の表面は概ね平坦で、オーバーラップ部２の部分の厚みをそれ以外の部分より薄くしている。
【００１１】
リブ６、6a…の下面とアンダーラップ部３の下面を同レベルに揃え、リブ６、6a…の尻側の端は、瓦本体１の尻側端面まで至らない様に形成されている。
【００１２】
図３、４、５に示す様に、瓦本体１の裏面におけるリブ６、6a…間の部位を曲面状に凹ませてアーチ面７、7a…を形成し、該アーチ面７、7a…は瓦本体１におけるリブ６、6a…間の部位の最薄肉部の厚みが、一般的な平板瓦より薄くなる様に形成し、このアーチ面７、7a…は、上方側へ漸次幅広くなるリブ６、6a…の側面に滑らかに連続させて形成している。
具体的には、リブ６、6a…の側面におけるアーチ面７、7a…との境界部位を、該アーチ面７、7a…に滑らかに連続する凹円弧面としている。
【００１３】
瓦本体１におけるアーチ面７、7a…の中央に、リブ６、6a…と平行な畝状肉盛り８、8a…を設け、該畝状肉盛り８、8a…の断面形状は幅広な半楕円形状で、最下部から表面までの厚さが、一般的な平板瓦と略同厚と成っている。
【００１４】
具体的には、図３において、一点鎖線で一般的な「Ｆ形Ｆタイプ」の平板瓦が、実線で本発明に係る平板瓦が示されており、両者を比較すると、リブ６、6a…の断面積は本発明の方が大きいが、リブ６、6a…間の部位の断面積がその差を補って余るほど本発明の方が狭くなっている結果、面積において後者の方が約５％狭いが、強度は両者に差は無く、よって本発明に係る平板瓦は一般的な「Ｆ型Ｆタイプ」の平板瓦と比較して、強度は維持したままで軽量化が実現されている。
【００１５】
そして、図６に示す様に、この平板瓦が葺設された屋根にあっては、屋根下地Ｗとの間の隙間が広くなることで通気し易くなる結果、加熱された瓦からの熱が屋根下地Ｗ側に伝わり難くなる。
【００１６】
尚、図面上、本発明に係る平板瓦は、「Ｆ形Ｆタイプ」だけが示されているが、図示しないが、例えば瓦本体の両側部に隆起部を形成してそれらの間を谷部とし、前垂れに切欠部を有する、所謂「Ｆ形Ｕタイプ」の平板瓦であっても良い。
【符号の説明】
【００１７】
１        瓦本体
２        オーバーラップ部
３        アンダーラップ部
６、6a…  リブ
７、7a…  アーチ面
８、8a…  畝状肉盛り
【図１】
2015158080.tif 000003
【図２】
2015158080.tif 000004
【図３】
2015158080.tif 000005
【図４】
2015158080.tif 000006
【図５】
2015158080.tif 000007
【図６】
2015158080.tif 000008
【図７】
2015158080.tif 000009
【図８】
2015158080.tif 000010